(57)【要約】   【課題】通信におけるデータを簡単な方法で保護すると共に、受信した者が正規の受信者である場合には、受信したデータを認識可能に出力することができる通信データ保護システムまたは、通信データ保護装置を提供する。    【解決手段】ネットワークを介して画像データを添付されたＩＤ情報とともに受信する。次に、その受信したＩＤ情報５０に書籍ＩＤ５０ａが含まれているか否かを確認し書籍ＩＤ５０ａが含まれている場合は、ＩＤタグリーダ１９によりＩＤタグ２の書籍ＩＤ５０ｂを読み取る。次に、受信制御プログラムは、受信した画像データと共に受信した元の原稿のＩＤタグ１と、ＩＤタグリーダ１９が読み出したＩＤタグ２の書籍ＩＤ５０ａとを比較し、これらが一致するか否かを判別する。一致する場合には、ＩＤタグリーダ１９により復号化データ５０ｃをＩＤタグ２から読み取り、暗号化された画像データを復号化する。    【選択図】    図６
2005092668.tif 000002
【特許請求の範囲】
【請求項１】
第一のＩＤタグリーダと、
通信データを入力する通信データ入力手段と、
その通信データ入力手段により入力された通信データと共に、前記ＩＤタグリーダにより取得されたＩＤ情報を送信する送信手段と、
その送信手段により送信された通信データとＩＤ情報を受信する受信手段と、
第二のＩＤタグリーダと、
その第二のＩＤタグリーダにより取得したＩＤ情報と、前記受信手段により受信されたＩＤ情報とに基づいて、前記受信された通信データの出力が許容されるか否かを判別する判別手段と、
その判別手段により前記通信データの出力が許容されると判別された場合は、前記通信データを認識可能に出力する通信データ出力手段とを備えたことを特徴とする通信データ保護システム。
【請求項２】
前記通信データ入力手段により入力された通信データを暗号化する暗号化手段と、
前記受信手段により受信された通信データを復号化する復号化手段とを有し、
前記送信手段は、前記暗号化手段により暗号化された通信データを送信するものであり、
前記出力手段は、前記判別手段により前記通信データの出力が許容されると判別された場合は、前記復号化手段により暗号化された通信データを復号化して認識可能に出力するものであることを特徴とする請求項１記載の通信データ保護システム。
【請求項３】
前記暗号化手段は、前記第一のＩＤタグリーダにより取得した暗号化するための情報に基づいて入力された通信データを暗号化するものであることを特徴とする請求項２記載の
通信データ保護システム。
【請求項４】
前記復号化手段は、前記第二のＩＤタグリーダにより取得した復号化するための情報に基づいて受信された通信データを復号化するものであることを特徴とする請求項２又は３記載の通信データ保護システム。
【請求項５】
前記判別手段により前記通信データの出力が許容されないと判別された場合は、前記受信されたＩＤ情報を出力するＩＤ情報出力手段を備えたことを特徴とする請求項１から４のいずれかに記載の通信データ保護システム。
【請求項６】
前記判別手段により前記通信データの出力が許容されないと判別された場合は、出力が許容されない旨の通知を送信者または受信者、または送信者と受信者の両者に通知する通知手段を備えたことを特徴とする請求項１から５のいずれかに記載の通信データ保護システム。
【請求項７】
前記通信データは、著作物をデータ化したものであることを特徴とする請求項１から６のいずれかに記載の通信データ保護システム。
【請求項８】
ＩＤタグリーダと、
通信データを入力する通信データ入力手段と、
その通信データ入力手段により入力された通信データと共に、前記ＩＤタグリーダにより取得されたＩＤ情報を送信する送信手段とを備えたことを特徴とする通信データ保護装置。
【請求項９】
前記通信データ入力手段により入力された通信データを暗号化する暗号化手段を有し、
前記送信手段は、前記暗号化手段により暗号化された通信データを送信するものであることを特徴とする請求項８記載の通信データ保護装置。
【請求項１０】
前記暗号化手段は、前記ＩＤタグリーダにより取得した暗号化するための情報に基づいて入力された通信データを暗号化するものであることを特徴とする請求項９記載の通信データ保護装置。
【請求項１１】
ＩＤタグリーダと、
送信された通信データとＩＤ情報を受信する受信手段と、
前記ＩＤタグリーダにより取得したＩＤ情報と、前記受信手段により受信されたＩＤ情報とに基づいて、前記受信手段により受信された通信データの出力が許容されるか否かを判別する判別手段と、
その判別手段により前記通信データの出力が許容されると判別された場合は、前記通信データを認識可能に出力する通信データ出力手段とを備えたことを特徴とする通信データ保護装置。
【請求項１２】
前記受信手段により受信された、暗号化された通信データを復号化する復号化手段を有し、前記出力手段は、前記判別手段により前記通信データの出力が許容されると判別された場合は、前記復号化手段により暗号化された通信データを復号化して認識可能に出力するものであることを特徴とする請求項１１記載の通信データ保護装置。
【請求項１３】
前記復号化手段は、前記ＩＤタグリーダにより取得した復号化するための情報に基づいて受信された通信データを復号化するものであることを特徴とする請求項１２記載の通信データ保護装置。
【請求項１４】
前記判別手段により前記通信データの出力が許容されないと判別された場合は、前記受信されたＩＤ情報を出力するＩＤ情報出力手段を備えたことを特徴とする請求項１１から１３のいずれかに記載の通信データ保護装置。
【請求項１５】
前記判別手段により前記通信データの出力が許容されないと判別された場合は、出力が許容されない旨の通知を送信者または受信者に通知する通知手段を備えたことを特徴とする請求項１１から１４のいずれかに記載の通信データ保護装置。
【請求項１６】
前記通信データは、著作物をデータ化したものであることを特徴とする請求項８から１５のいずれかに記載の通信データ保護装置。
【発明の詳細な説明】
【技術分野】
【０００１】
本発明は、通信データ保護システムおよび通信データ保護装置に関し、特に通信データを機密データとして送信でき、特定の人のみがその通信データを出力できる通信データ保護システムおよび通信データ保護装置である。
【背景技術】
【０００２】
近年音響機器あるいは映像機器のデジタル化が進むと共に、通信技術が高度に発達し、簡単に高品質の音声や画像データを送受することができるようになってきた。
【０００３】
一方、書籍等に非接触ＩＤタグを装着し、物流管理等に利用することが提案されている（特許文献１）。非接触ＩＤタグは、ＲＦＩＤタグ、無線タグ、ＩＣタグなどとも呼ばれ電波を用いて非接触でタグが保有するデータを読み出したり書き込んだりできるもので、ここではＩＤタグと呼ぶ。
【０００４】
また、メディアの不正な複製や配信に対する保護を行う機能をもつ装置および方法が提案されている（特許文献２）。
【特許文献１】特開２００３−６３６５５号公報
【特許文献２】特開２００１−１１０１３５号公報
【発明の開示】
【発明が解決しようとする課題】
【０００５】
本発明は、通信におけるデータを簡単な方法で保護すると共に、受信した者が正規の受信者である場合には、なんら手間をかけることなく、受信したデータを認識可能に出力することができる通信データ保護システムまたは、通信データ保護装置を提供することを目的とする。
【課題を解決するための手段】
【０００６】
この目的を達成するために、請求項１記載の通信データ保護システムは、第一のＩＤタグリーダと、通信データを入力する通信データ入力手段と、その通信データ入力手段により入力された通信データと共に、前記ＩＤタグリーダにより取得されたＩＤ情報を送信する送信手段と、その送信手段により送信された通信データとＩＤ情報を受信する受信手段と、第二のＩＤタグリーダと、その第二のＩＤタグリーダにより取得したＩＤ情報と、前記受信手段により受信されたＩＤ情報とに基づいて、前記受信された通信データの出力が許容されるか否かを判別する判別手段と、その判別手段により前記通信データの出力が許容されると判別された場合は、前記通信データを認識可能に出力する通信データ出力手段とを備えている。
【０００７】
請求項２記載の通信データ保護システムは、請求項１記載の通信データ保護システムであって、前記入力手段により入力された通信データを暗号化する暗号化手段と、前記受信手段により受信された通信データを復号化する復号化手段とを有し、前記送信手段は、前記暗号化手段により暗号化された通信データを送信するものであり、前記出力手段は、前記判別手段により前記通信データの出力が許容されると判別された場合は、前記復号化手段により暗号化された通信データを復号化して認識可能に出力するものである。
【０００８】
請求項３記載の通信データ保護システムは、請求項２記載の通信データ保護システムであって、前記暗号化手段は、前記第一のＩＤタグリーダにより取得した暗号化するための情報に基づいて入力された通信データを暗号化するものである。
【０００９】
請求項４記載の通信データ保護システムは、請求項２又は３記載の通信データ保護システムであって、前記復号化手段は、前記第二のＩＤタグリーダにより取得した復号化するための情報に基づいて受信された通信データを復号化するものである。
【００１０】
請求項５記載の通信データ保護システムは、請求項１から４のいずれかに記載の通信データ保護システムであって、前記判別手段により前記通信データの出力が許容されないと判別された場合は、前記受信されたＩＤ情報を出力するＩＤ情報出力手段を備えている。
【００１１】
請求項６記載の通信データ保護システムは、請求項１から５のいずれかに記載の通信データ保護システムであって、前記判別手段により前記通信データの出力が許容されないと判別された場合は、出力が許容されない旨の通知を送信者または受信者、または送信者と受信者の両者に通知する通知手段を備えている。
【００１２】
請求項７記載の通信データ保護システムは、請求項１から６のいずれかに記載の通信データ保護システムであって、前記通信データは、著作物をデータ化したものである。
【００１３】
請求項８記載の通信データ保護装置は、ＩＤタグリーダと、通信データを入力する通信データ入力手段と、その通信データ入力手段により入力された通信データと共に、前記ＩＤタグリーダにより取得されたＩＤ情報を送信する送信手段とを備えている。
【００１４】
請求項９記載の通信データ保護装置は、請求項８記載の通信データ保護装置であって、前記入力手段により入力された通信データを暗号化する暗号化手段を有し、前記送信手段は、前記暗号化手段により暗号化された通信データを送信するものである
請求項１０記載の通信データ保護装置は、請求項９記載の通信データ保護装置であって、前記暗号化手段は、前記ＩＤタグリーダにより取得した暗号化するための情報に基づいて入力された通信データを暗号化するものである。
【００１５】
請求項１１記載の通信データ保護装置は、ＩＤタグリーダと、送信された通信データとＩＤ情報を受信する受信手段と、前記ＩＤタグリーダにより取得したＩＤ情報と、前記受信手段により受信されたＩＤ情報とに基づいて、前記受信手段により受信された通信データの出力が許容されるか否かを判別する判別手段と、その判別手段により前記通信データの出力が許容されると判別された場合は、前記通信データを認識可能に出力する通信データ出力手段とを備えている。
【００１６】
請求項１２記載の通信データ保護装置は、請求項１１記載の通信データ保護装置であって、  前記受信手段により受信された、暗号化された通信データを復号化する復号化手段を有し、前記出力手段は、前記判別手段により前記通信データの出力が許容されると判別された場合は、前記復号化手段により暗号化された通信データを復号化して認識可能に出力するものである。
【００１７】
請求項１３記載の通信データ保護装置は、請求項１２記載の通信データ保護装置であって、前記復号化手段は、前記ＩＤタグリーダにより取得した復号化するための情報に基づいて受信された通信データを復号化するものである。
【００１８】
請求項１４記載の通信データ保護装置は、請求項１１から１３のいずれかに記載の通信データ保護装置であって、前記判別手段により前記通信データの出力が許容されないと判別された場合は、前記受信されたＩＤ情報を出力するＩＤ情報出力手段を備えている。
【００１９】
請求項１５記載の通信データ保護装置は、請求項１１から１４のいずれかに記載の通信データ保護装置であって、前記判別手段により前記通信データの出力が許容されないと判別された場合は、出力が許容されない旨の通知を送信者または受信者に通知する通知手段を備えている。
【００２０】
請求項１６記載の通信データ保護装置は、請求項８から１４のいずれかに記載の通信データ保護装置であって、前記通信データは、著作物をデータ化したものである。
【発明の効果】
【００２１】
請求項１記載の通信データ保護システムによれば、送信側では、通信データと共にＩＤタグリーダにより取得されたＩＤ情報を送信し、受信側では、受信されたＩＤ情報と受信側のＩＤタグリーダで取得されたＩＤ情報を比較し、受信された通信データの出力が許容されるか否かが判別されるので、送信者は何ら特別な操作をしなくても、通信データと共に、その通信データに添付されているＩＤ情報を送信することができ、受信者は、その通信データを受信する資格を示すＩＤ情報を発信するＩＤタグリーダを備えていれば、何ら特別の操作をすることなしにその通信データを認識可能に出力することができる。
【００２２】
一方、受信者にその通信データを受信する資格がない場合には、その通信データを出力することができないので、通信データを保護することができるという効果がある。
【００２３】
請求項２記載の通信データ保護システムによれば、請求項１記載の通信データ保護システムの奏する効果に加え、送信側では、入力された通信データが暗号化され、受信側では通信データの出力が許容されると判別された場合は、暗号化された通信データを復号化して認識可能に出力するものであるので、不正な手段により、通信データを取得した場合でも、通信データは暗号化されているため、簡単に復号化できないので通信データを保護することができるという効果がある。
【００２４】
請求項３記載の通信データ保護システムによれば、請求項２に記載の通信データ保護システムの奏する効果に加え、送信側ではＩＤタグリーダにより取得した暗号化するための情報に基づいて入力された通信データを暗号化するものであるので、通信データを不正に受信した場合であっても、どのように暗号化されたかという情報がないため、簡単に復号化できないので通信データを保護することができるという効果がある。
【００２５】
請求項４記載の通信データ保護システムによれば、請求項２又は３記載の通信データ保護システムの奏する効果に加え、受信側においてＩＤタグリーダにより取得した復号化するための情報に基づいて受信された通信データを復号化するものであるため、正規の受信者でなければ復号化するための情報を取得できず復号化することができないので通信データを保護することができるという効果がある。
【００２６】
請求項５記載の通信データ保護システムによれば、請求項１から４のいずれかに記載の通信データ保護システムの奏する効果に加え、通信データの出力が許容されないと判別された場合は、受信されたＩＤ情報を出力するので、通信データが認識可能に出力されない場合であっても、受信者は、未認識の通信データが存在すること及びＩＤ情報に含まれる情報の内容を知ることができる。例えば、通信データが著作物のデータの場合には、そのタイトルや著作物のページ等を知ることができる。
【００２７】
請求項６記載の通信データ保護システムによれば、請求項１から５のいずれかに記載の通信データ保護システムの奏する効果に加え、通信データの出力が許容されないと判別された場合は、出力が許容されない旨の通知を送信者または受信者、または送信者と受信者の両者に通知するので、送信者、または受信者は、受信者がその通信データを受信する資格がなく、受信者が通信データの内容を未認識であることを知ることができるという効果がある。
【００２８】
請求項７記載の通信データ保護システムによれば、請求項１から６のいずれかに記載の通信データ保護システムの奏する効果に加え、通信データは、著作物をデータ化したものであるので、著作物の著作権を保護することができるという効果がある。
【００２９】
請求項８記載の通信データ保護装置によれば、入力された通信データと共に、ＩＤタグリーダにより取得されたＩＤ情報を送信するので、受信装置において、ＩＤ情報が合致しない場合は、通信データを出力することができないようにするなどの処置を行うことにより、通信データを保護することができる。特にＩＤタグリーダを非接触タグリーダとすることにより、送信装置において、簡単に通信データを保護するＩＤ情報を通信データと共に、送信することができる。
【００３０】
請求項９記載の通信データ保護装置によれば、請求項８記載の通信データ保護装置の奏する効果に加え、暗号化された通信データを送信ものであるので、通信データを不正に取得した場合であっても、通信データは暗号化されているため、簡単に復号化できないので通信データを保護することができるという効果がある。
【００３１】
請求項１０記載の通信データ保護装置によれば、請求項８又は９記載の通信データ保護装置の奏する効果に加え、ＩＤタグリーダにより取得した暗号化するための情報に基づいて入力された通信データを暗号化するものであるので、通信データを不正に取得した場合であっても、どのように暗号化されたかという情報がないため、簡単に復号化できないので通信データを保護することができるという効果がある。
【００３２】
請求項１１記載の通信データ保護装置によれば、受信側において、ＩＤタグリーダにより取得したＩＤ情報と、受信手段により受信されたＩＤ情報とに基づいて、受信された通信データの出力が許容されるか否かを判別し、通信データの出力が許容されると判別された場合は、前記通信データを認識可能に出力するので、受信者は、その通信データを受信する資格を示すＩＤ情報を発信するＩＤタグリーダを備えていれば、何ら特別の操作をすることなしにその通信データを認識可能に出力することができる。
【００３３】
一方、受信者にその通信データを受信する資格がない場合には、その通信データを出力することができないので、通信データを保護することができるという効果がある。
【００３４】
請求項１２記載の通信データ保護装置によれば、請求項１１記載の通信データ保護装置の奏する効果に加え、通信データの出力が許容されると判別された場合は、暗号化された通信データを復号化して認識可能に出力するものであるので、通信データは、ＩＤ情報が一致しなければ復号化できず、保護されるという効果がある。
【００３５】
請求項１３記載の通信データ保護装置によれば、請求項１２記載の通信データ保護装置の奏する効果に加え、ＩＤタグリーダにより取得した復号化するための情報に基づいて受信された通信データを復号化するものであるので、復号化するための情報を取得できなれば複合化することができず、保護されるという効果がある。
【００３６】
請求項１４記載の通信データ保護装置によれば、請求項１１から１３のいずれかに記載の通信データ保護装置の奏する効果に加え、通信データの出力が許容されないと判別された場合は、受信されたＩＤ情報を出力するので、通信データは出力できないが、ＩＤ情報に含まれる書籍名などから、どのような内容が送信されたかを推測することができると共に、著作権等の保護が行われていることを認識することができる。
【００３７】
請求項１５記載の通信データ保護装置によれば、請求項１１から１４のいずれかに記載の通信データ保護装置の奏する効果に加え、通信データの出力が許容されないと判別された場合は、出力が許容されない旨の通知を送信者または受信者に通知する通知手段を備えているので、送信者または受信者、または送信者と受信者の両者は、受信者が適格でないため通信データを認識可能に出力できなかったことを知ることができる。
【００３８】
請求項１６記載の通信データ保護装置によれば、請求項８から１４のいずれかに記載の通信データ保護装置の奏する効果に加え、通信データは、著作物をデータ化したものであるので、著作権を有する著作物のデータが、安易に著作権を有さない受信者に配信されることを防止することができる。
【発明を実施するための最良の形態】
【００３９】
以下、本発明の好ましい実施例について、添付図面を参照して説明する。図１は、本発明の通信データ保護システム１を示す図である。
【００４０】
図１に示す通信データ保護システム１は、通信回線事業者の提供する公衆通信網に電話回線等によりインターネットを介して相互に接続されるパーソナルコンピュータ（ＰＣ）１７と１８により構成される。
【００４１】
ＰＣ１７，１８は共に図２に示すように、ＣＰＵ２１、ＲＯＭ２３、ＲＡＭ２４、ハードディスク２５、表示部２６、キーボード２７、ＵＳＢインターフェイス２８、電話回線インターフェイス２９を備え、ハードディスク２５に記憶された送信／受信制御プログラムに基づいて、スキャナ１１又はデジタルカメラ１４により取得されたり、ＩＤタグリーダ１２、１９により読み取られてＲＡＭに格納された通信データを電話回線インターフェイス２９とネットワーク等を介して他のパーソナルコンピュータに対して送信を行ったり、他のパーソナルコンピュータから送信された通信データを受信する通信データ送信／受信機能を有するとともに、ＵＳＢを介して接続されたＩＤタグリーダ１２，１９により非接触ＩＤタグ１，２のＩＤデータを無線で読み取るＩＤ読み取り機能等を有するものである。
【００４２】
送信側であるＰＣ１７には、高速データ通信規格であるＵＳＢを介してスキャナ１１及びＩＤタグリーダ１２が接続されている。ＩＤタグリーダ１２には、非接触ＩＤタグ１のＩＤデータを無線で読み取るためのアンテナ１３が設けられている。
【００４３】
元の原稿１５（書籍や雑誌）には、非接触ＩＤタグ１が装着されており、この非接触ＩＤタグ１は、固有のタグＩＤ（タグ識別コード)や書籍名や暗号化および復号化するための情報（ＩＤ情報）が書き込まれたＲＦＩＤ(Radio Frequency Identification)タグ（電波認識タグ）である。
【００４４】
ＩＤタグリーダ１２は、アンテナ１３がＲＦＩＤタグと所定の距離以内にある場合には、電波による無線通信により、ＩＤタグ１が有する情報を読み込むことが可能である。
【００４５】
ＰＣ１７は、スキャナ１１によって、元の原稿１５の画像を読み取る際、同時にＩＤタグリーダ１２によって、その元の原稿１５のＩＤ情報をＩＤタグ１から読み出すことができる。
【００４６】
また、デジタルカメラ１４には、アンテナ３４を備えたＩＤタグリーダ３３が内蔵されており、デジタルカメラ１４により、元の原稿１５の映像を取り込む際にも、元の原稿１５に装着されたＩＤタグ１の有するＩＤ情報を読み出すことができるとともに、元の原稿１５の映像とＩＤタグ１の有するＩＤ情報とをＵＳＢを介してＰＣ１７に取り込むことができる。
【００４７】
上記のように、スキャナ１１またはデジタルカメラ１４により取得された画像データは、ＩＤタグリーダ１２または３３により読み取られたＩＤ情報とともに、ＵＳＢを介してＰＣ１７に送信され、ＰＣ１７は、送信制御プログラムによりこの画像データとＩＤ情報を共にインターネットを介してＰＣ１８に送信する。
【００４８】
一方、受信側ＰＣ１８は、受信制御プログラムを実行することにより、ＰＣ１７より送信された画像データとＩＤ情報とからなる通信データを受信することができるとともに、アンテナ２０を備えたＩＤタグリーダ１９が接続されており、該ＩＤタグリーダ１９によりアンテナ２０と所定の距離内のＩＤタグ２が有するＩＤ情報を読み出すことができる。
【００４９】
ここで、受信者が、送信者が送信した元の原稿１５と同じ原稿１６を保有しているならば、ＩＤタグリーダ１９がＩＤタグ２の有するＩＤ情報を読み出すことができ、画像データと共に受信したＩＤ情報と、ＩＤタグリーダ１９が読み出したＩＤ情報とを比較することができる。
【００５０】
したがって、ＰＣ１８が、受信したＩＤタグ１のＩＤ情報と読み出したＩＤタグ２のＩＤ情報とを比較し、一致した場合にのみ、受信した映像データを表示するものとすれば、送信者が送信した画像データが記載された元の原稿１５と同じ原稿１６を保有する者だけが、その画像データを見ることができるので、原稿の著作権を保護することができると共に、受信者は、その受信した画像を見ることができるので、原稿を参照する必要がない。
【００５１】
図３は、デジタルカメラ１４の詳細図であり、図４は、デジタルカメラ１４のブロック図である。デジタルカメラ１４には、ＣＰＵ３０、ＲＯＭ３１、ＲＡＭ３２、ＩＤタグリーダ３３、表示部３５、操作部３６、画像メモリ３７、ＵＳＢインターフェース３８が設けられ、これらはバスライン４０を介して互いに接続されている。
【００５２】
ＣＰＵ３０は、ＵＳＢインターフェース３８を介して送受信される各種信号などに基づいて、バスライン４０に接続された各部を制御してなどを実行する。ＲＯＭ３１は、このＣＰＵ３０で実行される制御プログラムなどを格納した書換不能なメモリである。
【００５３】
ＲＡＭ３２は、各種のデータを一時的に記憶するためのメモリであり、ＩＤタグリーダ３３により読み取られたＩＤ情報等を一時的に記憶するメモリである。
【００５４】
ＩＤタグリーダ３３は、アンテナ３４を備え、所定の距離以内にあるＩＤタグ１から、電波による無線通信により、ＩＤタグ１が有する情報を読み込むことができるものである。
【００５５】
表示部３５は、デジタルカメラ１４が撮影した画像を表示したり、種々パラメータを表示するものであり、操作部３６は、種々パラメータを設定したり、シャッタ−（レリーズボタン）を備え、画像メモリ３７は、撮影した画像データを記憶するメモリである。
【００５６】
ＵＳＢインターフェース３８は、接続端子３９を有し、ホストとなるＰＣ１７などに画像データを転送するものである。
【００５７】
図７に、ＩＤタグ１及び２の模式図を示す。ＩＤタグ１及び２が各々保有するＩＤデータ５０としては、書籍名（書籍ＩＤ）５０ａと、暗号化を行うための暗号化データ５０ｂおよび復号化を行うための復号化データ５０ｃ、およびその他のデータ５０ｄとして、書籍の発行日などが記憶されている。
【００５８】
ここで、暗号化データ５０ｂと復号化データ５０ｃは、異なるものであってもよいし、同一のものでもよい。同一の場合の例としては、暗号化データを１から１５までの値とし、読み取った画像データにの各桁に、その値を加算し、桁上がりはしないものとする。
【００５９】
例えば、暗号化データが”５”で、データ列が１６進表記で”０１２３４５６７８９ａｂｃｄｅｆ”は、暗号化されると”５６７８９ａｂｃｄｅｆ０１２３４”に変換される。
【００６０】
逆に、暗号化されたデータを復号化する場合は、暗号化されたデータ列の各桁から”５”を減算し、桁下がりはしないとすれば、もとのデータ列”０１２３４５６７８９ａｂｃｄｅｆ”に復号化される。
【００６１】
暗号化データと復号化データとが異なる暗号方式としては、公開鍵暗号方式が公知であり、この方式では、片方の鍵は広く公開するため公開鍵と呼ばれ、もう片方は厳重に管理されるため秘密鍵と呼ばれる。秘密鍵で暗号化されたデータは、対応する公開鍵でしか復号することができず、公開鍵で暗号化されたデータは対応する秘密鍵でしか復号化することはできないというものである。ここでは、本願発明の本質ではないので、詳細な説明は省略する。
【００６２】
図５は、送信側ＰＣ１７の送信制御プログラムによって、スキャナ１１により読み取った画像データと共にＩＤタグリーダ１２により読み取ったＩＤ情報を受信側ＰＣ１８に対して送信する処理を説明するためのフローチャートである。
【００６３】
まず、操作者のスキャン開始指令に基づいて、送信制御プログラムは、スキャナ１１により元原稿１５が読み込まれ、読み込まれた通信データがＰＣ１７のＲＡＭ２４の一時バッファ２４ｃに記憶されるとともに、ＩＤタグリーダ１２により書籍ＩＤ５０ａが読み取られ、同じくＰＣ１７のＲＡＭ２４の一時バッファに記憶される（Ｓ１）。
【００６４】
次に、送信制御プログラムは、原稿の書籍ＩＤ５０ａが検出されたか否かを確認する（Ｓ２）。原稿の書籍ＩＤ５０ａが検出された場合には（Ｓ２：Ｙｅｓ）、ＩＤタグリーダ１２により暗号化データ５０ｂを読み取る（Ｓ３）。次に、送信制御プログラムは、この暗号化データに従ってスキャナ１１で読み取り、一時バッファ２４ｃに記憶された画像データを暗号化する（Ｓ４）。
【００６５】
次に、送信制御プログラムは、暗号化された画像データに原稿名などのＩＤ情報５０ａを添付して、ＲＡＭ２４内の通信用データバッファ２４ａに格納する。ＩＤ情報５０ａに書籍のページ番号が含まれている場合には、ページ番号も添付する（Ｓ５）。ページ番号は、ページ毎にＩＤタグが装着されている場合には、ＩＤタグから取得するが、ページ毎にＩＤタグが装着されていない場合には、読み取られる画像データから直接ページ番号を認識するようにしてもよい。
以上のようにして、ＲＡＭ２４内の通信用データバッファ２４ａに格納された暗号化された画像データとＩＤ情報とが送信制御プログラムによりネットワークを介してＰＣ１７からＰＣ１８に対して送信される（Ｓ６）。
【００６６】
Ｓ２の処理において原稿の書籍ＩＤ５０ａが検出されなかった場合（Ｓ２：Ｎｏ）は、画像データは、送信制御プログラムによって暗号化されずにそのままＰＣ１７からＰＣ１８に対して送信される（Ｓ６）。
【００６７】
次に、図６に示すフローチャートを参照して受信側ＰＣ１８における受信制御プログラムによる受信制御処理について説明する。
【００６８】
まず、受信制御プログラムは、ネットワークを介して通信データとしての画像データを添付されたＩＤ情報とともに受信し、ＲＡＭ２４内の通信用データバッファ２４ａに画像データを、通信用ＩＤバッファ２４ｂにＩＤ情報５０をそれぞれ格納する（Ｓ１１）。
【００６９】
次に、その格納したＩＤ情報５０に書籍ＩＤ５０ａが含まれているか否かを確認する（Ｓ１２）。書籍ＩＤ５０ａが含まれていない場合は（Ｓ１２：Ｎｏ）、その画像データをそのままＰＣ１８の表示器へ表示する（Ｓ１８）。
【００７０】
一方、受信したＩＤ情報５０に書籍ＩＤ５０ａが含まれている場合は（Ｓ１２：Ｙｅｓ）、ＩＤタグリーダ１９によりＩＤタグ２の書籍ＩＤ５０ａを読み取り、ＲＡＭ２４内の一時バッファ２４ｃに格納する（Ｓ１３）。
【００７１】
次に、受信制御プログラムは、受信した画像データと共に受信し、ＲＡＭ２４の通信用ＩＤバッファ２４ｂに格納した元の原稿のＩＤタグ１と、ＩＤタグリーダ１９が読み出し、ＲＡＭ２４の一時バッファ２４ｃに格納したＩＤタグ２の書籍ＩＤ５０ａとを比較し、これらが一致するか否かを判別する（Ｓ１４）。
【００７２】
一致すると判別された場合には（Ｓ１４：Ｙｅｓ）、ＩＤタグリーダ１９により復号化するための情報である復号化データ５０ｃをＩＤタグ２から読み取り（Ｓ１５）、その読み取った復号化データ５０ｃに基づいて、暗号化された画像データを復号化し、ＲＡＭ２４内の表示用バッファ２４ｄに格納する（Ｓ１６）。
【００７３】
次に、受信制御プログラムは、この復号化された画像データを、ＰＣ１８の表示器に表示させる（Ｓ１９）。即ち、上記Ｓ１４にて元の原稿のＩＤタグ１の書籍ＩＤ５０ａとＩＤタグリーダ１９により読み出されたＩＤタグ２の書籍ＩＤ５０ａとが一致する場合には、通信データの出力が許容されたとしてＰＣ１８の表示器に復号化された画像データが出力される。
【００７４】
一方、Ｓ１４の処理で、一致しないと判別された場合には、ＩＤタグリーダ１９により読み出したＩＤ情報が、特定のＩＤ情報であるか否かを判別する（Ｓ１７）。ＩＤタグリーダ１９により読み出したＩＤ情報が、特定のＩＤ情報であると判別された場合には（Ｓ１７：Ｙｅｓ）、同様にＩＤタグリーダ１９により読み出された復号化するための情報に基づいて、暗号化された画像データを復号化する（Ｓ１５、１６）。
【００７５】
ここで、特定のＩＤ情報とは、例えば、著作権を許諾（許容）されている者に対して与えられたＩＤタグが有する特定のＩＤなどであり、元の原稿を保有していなくても、特に許諾されているなどの特定の者は、特定のＩＤタグを保有していれば、認識可能に表示することができる。
【００７６】
すなわち、元の原稿と同じ書籍に添付されたＩＤタグ２と同一内容のタグを操作者が保有するようにしておけば、Ｓ１７において受信された通信データの出力が許容されると判別されて、そのＩＤタグを保有する操作者のみが上記受信した画像データを認識できるようにすることができるため、受信した画像データを保護することができる。
【００７７】
Ｓ１７の処理において、ＩＤタグリーダ１９により読み出したＩＤ情報が、特定のＩＤ情報でないと判別された場合は（Ｓ１７：Ｎｏ）、受信したＩＤ情報である書物名やページ番号などを表示する（Ｓ１８）。
【００７８】
これにより、受信された通信データのうち、ＩＤ情報の不一致により認識されない通信データの存在のみならず、その未認識の書籍名やページ番号を受信者は知ることができる。
【００７９】
この場合、受信者に対して表示するだけでなく、送信者に、受信者は適格なＩＤ情報を保有していない旨を知らせるようにしてもよい。これにより、送信者は、受信者が送信データを認識できなかったことを知ることができる。
【００８０】
上記実施例では、ＩＤタグに記憶されているＩＤ情報は、同じ書籍、同じ雑誌であれば同じであるものとしたが、同じ書籍や雑誌であっても、シリアル番号等のＩＤ情報を記憶することにより、１冊づつ管理することもできる。
【００８１】
図８に、１冊づつ異なる情報である、シリアルＩＤ５０ｅや第３の情報５０ｆを記憶するＩＤタグを模式的に示す。ここで、第３の情報とは、例えば課金情報である。書籍が製本された段階では、この課金情報は、「未課金」であり、正規に購入された場合に、この第３の情報は、書店等において「課金済み」に書き換えられる。従って、不正にこの書籍を入手した場合（例えば、万引など）には、送信側においては、課金情報が「課金済み」と記憶されていない場合には、送信することができないようにすることができ、また、受信側においては、書籍ＩＤが一致しても、課金情報が「課金済み」と記憶されていない限り、受信された通信データを認識できないようにすることができる。
【００８２】
図９および図１０に、この第３の情報がＩＤタグに記憶されている場合の、送信、受信における処理フローを示す。これらのフローチャートは、図５および図６にいくつかのステップを加えたものであるので、変更のないステップには、同じ番号を付している。
【００８３】
追加された部分を主に説明すると、図９は、送信側ＰＣにおける処理を表すフローチャートであり、原稿からＩＤタグ５０が検出される場合（Ｓ２：Ｙｅｓ）、ＰＣ送信制御プログラムは、ＩＤタグリーダにより第３の情報５０ｆを読み取り（Ｓ２１）、第３の情報によって閲覧が許可されているか否か、すなわち「課金済み」となっているか否かを判定し、閲覧が許可されている場合（Ｓ２２：Ｙｅｓ）には、Ｓ３以下の暗号化などの処理を行って画像データが送信される。
【００８４】
一方、閲覧が許可されていない場合（Ｓ２２：Ｎｏ）には、正規品ではないため送信できない旨の表示を行って、このルーチンを終了する。したがって、不正に入手した正規品でない場合には、送信できないことになる。
【００８５】
図１０は、受信側ＰＣにおける処理を表すフローチャートであり、Ｓ１４の処理において、受信した通信データとともに受信した書籍ＩＤと、リーダ１９が読み取った書籍ＩＤが一致する場合（Ｓ１４：Ｙｅｓ）には、リーダ１９が第３の情報５０ｆを読み取り（Ｓ３１）、第３の情報５０ｆが閲覧許可されていることを表しているか否かを判定する（Ｓ３２）。閲覧が許可されていると判定された場合（Ｓ３２：Ｙｅｓ）は、Ｓ１５以下へ進み、画像データが復号化されて表示される。
【００８６】
一方、閲覧が許可されていないと判定された場合（Ｓ３２：Ｎｏ）は、正規品でないため画像データの復号化ができない旨を表示し（Ｓ３３）、さらに受信したＩＤ情報を表示して（Ｓ１８）このルーチンを終了する。
【００８７】
なお、請求項１記載の第１のＩＤタグリーダは、図１におけるＩＤタグリーダ１２または３３に該当し、通信データ入力手段は、スキャナ１１またはデジタルカメラ１４により、元原稿１５を読み込む図５に記載のフローチャートの処理Ｓ１に該当し、送信手段は、ＰＣ１７が備える送信制御プログラムにより処理される図５に記載のフローチャートの処理Ｓ６に該当する。
【００８８】
また、受信手段は、ＰＣ１８が備える受信制御プログラムにより処理される図６に記載のフローチャートの処理Ｓ１１に該当し、第二のＩＤタグリーダは、タグリーダ１９が該当し、判別手段は、図６に記載のフローチャートの処理Ｓ１４または処理Ｓ１７が該当し、通信データ出力手段は、同フローチャートのＳ１９が該当する。
【００８９】
また、請求項２記載の暗号化手段は、図５に記載の送信制御プログラムにより処理されるフローチャートにおける処理Ｓ４が該当し、復号化手段は、図６に記載の受信制御プログラムにより処理されるフローチャートにおける処理Ｓ１６が該当する。
【００９０】
また、請求項５記載のＩＤ情報出力手段は、図６に記載の受信制御プログラムにより処理されるフローチャートにおける処理Ｓ１８が該当し、請求項６記載の通知手段は、Ｓ１８に対応して記載された尚書きに基づくものである。
【００９１】
以上、上記実施例に基づき本発明を説明したが、本発明は、上記実施例に何ら限定されるものでなく、本発明の趣旨を逸脱しない範囲内で種々の改良変形が可能であることは容易に推察できるものである。
【００９２】
例えば、上記実施例では、スキャナ等により原稿を読み取ったものを通信データとして送信するものとしたが、予めＰＣのＲＡＭまたはハードディスク上に作成されたファイル等を通信データとして設定入力したものを送信する場合には、その設定入力操作に連動させてそのファイルに対応させた所定のタグのＩＤ情報を読み込むようにすれば、予め作成されたファイル等を通信データとして保護したいような場合にも、本発明を適用できる。
【００９３】
また、上記実施例では、書籍などの画像データを送受する場合について記述したが、ＣＤやレコードやテープなどの音声データを送受する場合に適用してもよい。
【００９４】
また、上記実施例では、スキャナ１１により、画像を取り込む際に、暗号化し、その後送信されるようにしたが、スキャナ１１により、画像を取り込む際には暗号化は行われず、送信の指示が行われた際に、暗号化されるようにしてもよい。
【００９５】
また、上記実施例では、暗号化した画像データを送信するようにしたが、暗号化ではなく、画像データを圧縮してＩＤ情報と共に送信し、受信側で許諾されているＩＤ情報が認識されれば、圧縮された画像データを解凍して表示するようにしてもよい。
【００９６】
また、上記実施例では、ＩＤタグリーダ１２がＩＤタグ１から読み出した暗号化するための情報に基づいて暗号化したが、予め定められた暗号化方法で暗号化してもよい。
【００９７】
また、上記実施例では、受信側ＰＣ１８が、画像データを受信し、受信したＩＤ情報とＩＤタグリーダ１９が読み出したＩＤ情報と比較して一致すれば復号化したが、まず、
受信側ＰＣ１８が、画像データを受信することなく、ＩＤ情報だけを受信するようにして、そのＩＤ情報とＩＤタグリーダ１９が読み出したＩＤ情報が一致する場合に、所定のサーバに記憶された画像データを取得できるようにしてもよい。
【図面の簡単な説明】
【００９８】
【図１】本発明の通信データ保護システムを示す図である。
【図２】ＰＣの電気的構成を示したブロック図である。
【図３】デジタルカメラの外観を示した図である。
【図４】デジタルカメラの電気的構成を示したブロック図である。
【図５】送信側ＰＣにおける処理を示したフローチャートである。
【図６】受信側ＰＣにおける処理を示したフローチャートである。
【図７】ＩＤタグが記憶するデータを示す図である。
【図８】ＩＤタグが記憶するデータにシリアル番号と第３の情報が加えられた状態を示す図である。
【図９】ＩＤ情報として第３の情報を有する場合の送信側ＰＣにおける処理を示したフローチャートである。
【図１０】ＩＤ情報として第３の情報を有する場合の受信側ＰＣにおける処理を示したフローチャートである。
【符号の説明】
【００９９】
１              通信データ保護システム
１１            スキャナ
１２            ＩＤタグリーダ
１３            アンテナ
１４            デジタルカメラ
１７            送信側ＰＣ
１８            受信側ＰＣ
２４ａ          通信用データバッファ
２４ｂ          通信用ＩＤバッファ
５０            ＩＤ情報
５０ｂ          暗号化データ
５０ｃ          復号化データ  
【図１】
2005092668.tif 000003
【図２】
2005092668.tif 000004
【図３】
2005092668.tif 000005
【図４】
2005092668.tif 000006
【図５】
2005092668.tif 000007
【図６】
2005092668.tif 000008
【図７】
2005092668.tif 000009
【図８】
2005092668.tif 000010
【図９】
2005092668.tif 000011
【図１０】
2005092668.tif 000012